(57)【要約】【課題】簡易な構成で受信電界レベルの測定を可能とする１セグ電波チェックモジュール及びこれを用いる通信装置を提供する。【解決手段】地上波デジタル放送の任意チャネルを構成する１３セグメントの内の１セグメントの受信信号レベルを測定する１セグ電波チェックモジュールであって，地上波デジタル放送波をアンテナから受信し，増幅するフロントエンドと，前記フロントエンドで増幅された受信信号を，前記１セグメントの通過帯域よりも狭い帯域に帯域制限する帯域制限機能部と，前記帯域制限機能部で通過帯域が制限された受信信号を検波する検波器と，前記検波器の出力レベルが，予め設定したレベル階層区分のいずれに属するかを判定出力するレベル階層区分判定機能部を有する。１セグメント信号を１セグメント信号帯域より狭い帯域に制限することにより，簡易な構成で１セグメント信号のレベルを高感度に検知することができる。また，レベル階層区分判定機能部の出力により種々の表示及び制御を行うことができる。【選択図】  図１
2007036922.tif 000002
【特許請求の範囲】
【請求項１】
地上波デジタル放送の任意チャネルを構成する１３セグメントの内の１セグメントによる放送を受信する１セグ放送チューナーであって，
地上波デジタル放送波をアンテナから受信し，増幅するフロントエンドと，
受信信号判定モジュールとして、前記フロントエンドで増幅された受信信号を，前記１セグメントの通過帯域以下の帯域に帯域制限する帯域制限機能部と，
前記帯域制限機能部で通過帯域が制限された受信信号を検波する検波器と，
前記検波器の出力レベルが，予め設定したレベル階層区分のいずれに属するかを判定出力するレベル階層区分判定機能部とを有し，
さらに、前記地上波デジタル放送の受信チャネルを指定するチャネル指定部を有し，前記受信信号レベル判定モジュールにより判定される受信信号レベルに応じて，前記チャネル指定部は，同一のプログラムを放送するチャネルを選択指定することを特徴とする１セグ放送チューナー。
【請求項２】
請求項１において，
前記フロントエンドは，前記アンテナから受信した地上波デジタル放送波を中間周波数に変換する変換器を有し，
前記帯域制限機能部は，
前記チャネル指定部により指定される前記地上波デジタル放送波の中間周波数を得るための局部発信信号を出力する局部発振器と，
前記フロントエンドで増幅された受信信号と，前記局部発振器からの局部発信信号を混合する混合器と，
前記１セグメントの通過帯域より狭い通過帯域を有し，前記混合器の出力の帯域を制限するフィルターを，
有することを特徴とする１セグ放送チューナー。
【請求項３】
請求項１において，
前記レベル階層区分判定機能部は，前記検波器の電界強度入力に対する検出出力特性に対応して複数の所定の電界範囲に対する出力電圧を出力する相関算出手段と，
前記検波器の出力と前記相関算出手段の出力を，前記複数の所定の電界範囲のそれぞれに対して比較する複数の比較器と，
前記の複数の比較器の出力に基づき，前記１セグメントの受信信号レベルが，前記複数の所定の電界範囲のいずれに属するかを判定し，出力する結果判定機能部を，
有することを特徴とする１セグ放送チューナー。
【請求項４】
地上波デジタル放送の任意チャネルを構成する１３セグメントの内の１セグメントの受信信号レベルを測定する１セグ電波チェッカーであって，
地上波デジタル放送波をアンテナから受信し，増幅するフロントエンドと，
受信信号判定モジュールとして、前記フロントエンドで増幅された受信信号を，前記１セグメントの通過帯域以下の帯域に帯域制限する帯域制限機能部と，
前記帯域制限機能部で通過帯域が制限された受信信号を検波する検波器と，
前記検波器の出力レベルが，予め設定したレベル階層区分のいずれに属するかを判定出力するレベル階層区分判定機能部を，
有することを特徴とする１セグ電波チェッカー。
【請求項５】
請求項４において，
さらに，前記１セグメント信号のチャネル情報および，受信レベルを測定する際に測定地点の場所情報あるいは，それと共に時間情報を出力する場所及び時間情報設定手段と，
前記場所及び時間情報設定手段から出力される測定地点の場所情報及び，時間情報とともに，前記受信信号レベル判定モジュールで判定された受信信号のレベルを記憶する学習メモリーを，
有することを特徴とする１セグ電波チェッカー。
【請求項６】
請求項４において，
前記帯域制限機能部は，
前記チャネル指定部により指定される前記地上波デジタル放送波のキャリア周波数の局部発信信号を出力する局部発振器と，
前記フロントエンドで増幅された受信信号と，前記局部発振器からの局部発信信号を混合する混合器と，
前記１セグメントの通過帯域より狭い通過帯域を有し，前記混合器の出力の帯域を制限するフィルターを，
有することを特徴とする１セグ電波チェッカー。
【請求項７】
請求項４において，
前記フロントエンドは，前記アンテナから受信した地上波デジタル放送波を中間周波数に変換する変換器を有し，
前記帯域制限機能部は，
前記チャネル指定部により指定される前記地上波デジタル放送波の中間周波数を得るための局部発信信号を出力する局部発振器と，
前記フロントエンドで増幅された受信信号と，前記局部発振器からの局部発信信号を混合する混合器と，
前記１セグメントの通過帯域より狭い通過帯域を有し，前記混合器の出力の帯域を制限するフィルターを，
有することを特徴とする１セグ電波チェッカー。
【請求項８】
請求項４において，
前記レベル階層区分判定機能部は，前記検波器の電界強度入力に対する検出出力特性に対応して複数の所定の電界範囲に対する出力電圧を出力する相関算出手段と，
前記検波器の出力と前記相関算出手段の出力を，前記複数の所定の電界範囲のそれぞれに対して比較する複数の比較器と，
前記の複数の比較器の出力に基づき，前記１セグメントの受信信号レベルが，前記複数の所定の電界範囲のいずれに属するかを判定し，出力する結果判定機能部を，
有することを特徴とする１セグ電波チェッカー。
【請求項９】
地上波デジタル放送の任意チャネルを構成する１３セグメントの内の１セグメントの放送信号を受信，増幅し，前記受信，増幅された信号を，前記１セグメントの通過帯域以下の帯域に帯域制限する帯域制限機能部と，
前記帯域制限機能部で通過帯域が制限された受信信号を検波する検波器と，
前記検波器の出力レベルが，予め設定したレベル階層区分のいずれに属するかを判定出力するレベル階層区分判定機能部と，
前記レベル階層区分判定機能部における受信レベルの判定が所定のレベル階層区分以下であるとき，前記１セグメントの放送信号を受信するアンテナを別のアンテナに切り替え，あるいは他の通信手段に切り替えて，前記１セグメントの放送信号の内容表示を継続するように制御する制御信号判定回路を
有することを特徴とする１セグ放送受信装置。
【請求項１０】
地上波デジタル放送の任意チャネルを構成する１３セグメントの内の１セグメントの放送信号を受信するチューナーと，
前記チューナーにより変換された中間周波数信号から前記１セグメントの通過帯域を有する信号を出力する第１のフィルターと，
前記第１のフィルターの出力を前記１セグメントの通過帯域よりも狭い帯域に帯域制限する帯域制限機能部と，
前記帯域制限機能部で通過帯域が制限された受信信号を検波する検波器と，
前記検波器の出力レベルが，予め設定したレベル階層区分のいずれに属するかを判定出力するレベル階層区分判定機能部と，
前記レベル階層区分判定機能部における受信レベルの判定が所定のレベル階層区分以下であるとき，他の通信手段に切り替えて，前記１セグメントの放送信号の内容表示を継続するように制御する制御信号判定回路を
有することを特徴とする１セグ放送受信装置。
【請求項１１】
請求項９又は，１０において，
前記制御信号判定回路により前記１セグメント放送の内容表示を継続するように他の通信手段に切り替える際に，有線あるいは，近距離無線により、前記他の通信手段によって，別の１セグ放送受信可能の装置に前記１セグ放送内容を提供することを特徴とする１セグ放送受信装置。
【発明の詳細な説明】
【技術分野】
【０００１】
本発明は、１セグ放送チューナー，１セグ電波チェッカー及び，これを用いる１セグ放送受信装置に関する。
【背景技術】
【０００２】
地上波デジタル放送の技術基準であるＩＳＤＢ−Ｔ（Integration Service Digital Broadcasting Terrestrial）方式は,１事業者に割り当てられる５．７５ＭＨｚの周波数帯域内に１３個のそれぞれＯＦＤＭ（Orthogonal frequency Division multiplex）セグメントと呼ばれる送信単位（約４３０ｋＨｚ帯域）が多重されている。
【０００３】
事業者は，このＯＦＤＭ（Orthogonal frequency Division multiplex）セグメントと呼ばれる狭帯域（以下単にセグメントという）の送信信号を組み合わせて，狭帯域から広帯域の放送電波を構成することができる。
【０００４】
そして，１３個のセグメントの内，１つのセグメントを利用するシステムが種々提案され，その一つとして，放送周波数変更通知の際に１つのセグメントを利用して，告知情報の伝送を行う１セグメント受信機について開示されている（特許文献１）。
【０００５】
また，１３個のセグメントの内，３個のセグメントを使用する送信方式があり，１つセグメントによる放送を受信する装置では，その一部のサービスを受信することができる。このとき，３個のセグメントの内，中央のセグメントを基本セグメントと呼び，両側の２つのセグメントを拡張セグメントと呼ぶ。かかるシステムにおいて，１セグメント受信で，あるチャネルの地上デジタル音声放送を受信中に，その送信信号の形式が基本セグメントから拡張セグメントへ変更となった場合，そのチャネルを受信している１セグメント受信機では受信が不能となる。
【０００６】
しかし，受信不能の場合，受信環境が悪化した場合も想定される。したがって，受信している信号が基本セグメントであるか，拡張セグメントであるかを識別することが望ましく，かかる識別を可能とする受信装置が提案されている（特許文献２）。
【０００７】
また，１２セグメント放送と，１セグメント放送の受信機能を有する受信機のカードを用意し，前記カードの挿入される表示装置の解像度に応じて，前記１２セグメント放送と，１セグメント放送を切り替え受信する機能を有する装置が提案されている（特許文献３）。
【０００８】
一方，今後実用化放送が予定されている１セグメント放送に対応する移動体（Mobile）用受信装置として，地上デジタル放送対応の携帯電話機の開発も報告されている（非特許文献１）。
【特許文献１】特開２００４−３５０２１７号公報
【特許文献２】特開２００４−１３４８３２号公報
【特許文献３】特開２００５−２０３４０号公報
【非特許文献１】「地上デジタル放送対応携帯電話機」SANYO TECHNICAL REVIEW VOL.36,NO.1, JUN.2004
【発明の開示】
【発明が解決しようとする課題】
【０００９】
ここで，移動体の特性として，移動により移動体（Mobile）用受信装置に対する受信電波状態が変動する。特に，ビル陰，山陰等の影響により受信電波状態が受信中に変動劣化し，受像が困難になる等の影響が生じる。かかるビル陰，山陰等の影響は，固定受信時であれば，ＣＡＴＶや，局地的に電波が届かない地域に向けてスポット的に電波を再送信するギャップフィラーにより事前対策が比較的に容易である。
【００１０】
しかし，移動体の移動時のように，ビル陰，山陰等の影響が移動体の移動に伴い変化する場合は，受信電界を測定して対応を施すことが必要である。このために，受信電界を測定するチェッカーや受信電界レベルに応じて，１セグ放送内容を継続して表示することを可能とする受信装置が求められていると考えられる。
【００１１】
したがって，本発明の目的は，１セグメント放送に適した１セグ放送チューナー，１セグ電波チェッカー及び，これを用いる１セグ放送受信装置を提供することにある。
【課題を解決するための手段】
【００１２】
上記の課題を達成する本発明の第１の側面は，地上波デジタル放送の任意チャネルを構成する１３セグメントの内の１セグメントによる放送を受信する１セグ放送チューナーであって，
地上波デジタル放送波をアンテナから受信し，増幅するフロントエンドと，前記フロントエンドで増幅された受信信号を，前記１セグメントの通過帯域以下の帯域に帯域制限する帯域制限機能部と，前記帯域制限機能部で通過帯域が制限された受信信号を検波する検波器と，前記検波器の出力レベルが，予め設定したレベル階層区分のいずれに属するかを判定出力するレベル階層区分判定機能部と，前記地上波デジタル放送の受信チャネルを指定するチャネル指定部を有し，前記受信信号レベル判定モジュールにより判定される受信信号レベルに応じて，前記チャネル指定部は，同一のプログラムを放送するチャネルを選択指定することを特徴とする。
【００１３】
上記の第１の側面において，前記フロントエンドは，前記アンテナから受信した地上波デジタル放送波を中間周波数に変換する変換器を有し，前記帯域制限機能部は，前記チャネル指定部により指定される前記地上波デジタル放送波の中間周波数の局部発信信号を出力する局部発振器と，前記フロントエンドで増幅された受信信号と，前記局部発振器からの局部発信信号を混合する混合器と，前記１セグメントの通過帯域より狭い通過帯域を有し，前記混合器の出力の帯域を制限するフィルターを有するように構成できる。
【００１４】
さらにまた，前記レベル階層区分判定機能部は，前記検波器の電界強度入力に対する検出出力特性に対応して複数の所定の電界範囲に対する出力電圧を出力する相関算出手段と，前記検波器の出力と前記相関算出手段の出力を，前記複数の所定の電界範囲のそれぞれに対して比較する複数の比較器と，前記の複数の比較器の出力に基づき，前記１セグメントの受信信号レベルが，前記複数の所定の電界範囲のいずれに属するかを判定し，出力する結果判定機能部を有して構成できる。
【００１５】
上記の課題を達成する本発明の第２の側面は，地上波デジタル放送の任意チャネルを構成する１３セグメントの内の１セグメントの受信信号レベルを測定する１セグ電波チェッカーであって，地上波デジタル放送波をアンテナから受信し，増幅するフロントエンドと，前記フロントエンドで増幅された受信信号を，前記１セグメントの通過帯域以下の帯域に帯域制限する帯域制限機能部と，前記帯域制限機能部で通過帯域が制限された受信信号を検波する検波器と，前記検波器の出力レベルが，予め設定したレベル階層区分のいずれに属するかを判定出力するレベル階層区分判定機能部を有することを特徴とする。
【００１６】
上記の課題を達成する本発明の第３の側面は，１セグメント信号受信装置であって，地上波デジタル放送の任意チャネルを構成する１３セグメントの内の１セグメントの放送信号を受信，増幅し，前記受信，増幅された信号を，前記１セグメントの通過帯域以下の帯域に帯域制限する帯域制限機能部と，前記帯域制限機能部で通過帯域が制限された受信信号を検波する検波器と，前記検波器の出力レベルが，予め設定したレベル階層区分のいずれに属するかを判定出力するレベル階層区分判定機能部と，前記レベル階層区分判定機能部における受信レベルの判定が所定のレベル階層区分以下であるとき，前記１セグメントの放送信号を受信するアンテナをアダプティブアンテナやダイバーシチ効果を有する別のアンテナに切り替え，あるいはインターネット，アナログテレビ，ラジオ放送等の他の通信手段に切り替えて，前記１セグメントの放送信号の内容表示を継続するように制御する制御信号判定回路を有することを特徴とする。
【００１７】
上記の課題を達成する本発明の第４の側面は，１セグメント信号受信装置であって，地上波デジタル放送の任意チャネルを構成する１３セグメントの内の１セグメントの放送信号を受信するチューナーと，前記チューナーにより変換された中間周波数信号から前記１セグメントの通過帯域を有する信号を出力する第１のフィルターと，前記第１のフィルターの出力を前記１セグメントの通過帯域よりも狭い帯域に帯域制限する帯域制限機能部と，前記帯域制限機能部で通過帯域が制限された受信信号を検波する検波器と，前記検波器の出力レベルが，予め設定したレベル階層区分のいずれに属するかを判定出力するレベル階層区分判定機能部と，前記レベル階層区分判定機能部における受信レベルの判定が所定のレベル階層区分以下であるとき，インターネット，アナログテレビ，ラジオ放送等の他の通信手段に切り替えて，前記１セグメントの放送信号の内容表示を継続するように制御する制御信号判定回路を有して構成されることを特徴とする。
【００１８】
本発明の特徴は，以下に図面に従い説明される発明の実施の形態例から更に明らかになる。
【発明の効果】
【００１９】
本発明は，１セグメント信号を１セグメント信号帯域以下の帯域に制限することにより，簡易な構成で１セグメント信号のレベルを高感度に検知し，且つ複数の異なる階層区分のいずれにあるかを判定をすることにより、高機能判定することができる。
【発明を実施するための最良の形態】
【００２０】
以下に，図面に従い本発明の実施の形態例を説明する。なお，実施の形態例は本発明の理解のためのものであり，本発明の技術的範囲は，これら実施の形態例に限定されるものではない。
【００２１】
図１は，本発明に従う１セグ放送チューナーの機能ブロック図である。
【００２２】
図１において，本発明に従う１セグ放送チューナーは，後に説明する１セグ電波チェッカーと共通の機能部としてアンテナＡＮＴ，１セグチューナー１，受信信号レベル判定モジュール１００及び，チャネル指定部３を有し，更に復調回路１１を有して構成される。
【００２３】
フロントエンド部１は，アンテナＡＮＴにより受信される無線周波数信号を入力し，ローノイズアンプで増幅し，受信信号レベル判定モジュール１００の帯域制限機能部２に入力する。同時に，フロントエンド部１の出力は，復調回路１１に入力され，放送信号が復調再生され，適宜の図示しない表示装置に音声及び映像が表示される。
【００２４】
帯域制限機能部２は，フロントエンド部１から入力される無線周波数信号を，例えばダイレクトコンバージョン方式を用いて，チャネル指定部３により設定される局部周波数信号と混合器で混合して１セグメント帯域のベースバンド信号に変換する。変換された１セグメント帯域のベースバンド信号は，更に帯域制限機能部２により１セグメント信号帯域以下の狭い帯域に制限されて出力される。
【００２５】
帯域制限機能部２により帯域制限されて出力される１セグメント信号は，次いで検波器４で検波され，１セグメント信号の受信レベルが求められる。求められた１セグメント信号の受信レベルは，レベル階層区分判定機能部５に入力され，そこで所定のレベル区分と比較され，受信レベルの階層区分のいずれにあるかの判定結果が出力される。
【００２６】
かかるレベル階層区分判定機能部５からの判定結果に基づき，受信信号レベルが良好な受信レベルの階層区分にない場合に，チャネル指定部３を制御して，ビル陰等の対策として固定設置されたギャップフィラーにより送出される，あるいは異なる地域の異なるチャンネルで放送される同一内容プログラムを放送する他のチャネル周波数に切り替えて，受信を継続するように制御することが可能である。
【００２７】
レベル階層区分判定機能部５からの判定結果は，後に更に説明するように種々の用途に利用可能である。
【００２８】
なお，フロントエンド１において受信信号をＩＦ帯に周波数変換し，周波数変換されたＩＦ信号に対して，帯域制限機能部２により帯域制限を行うように構成することもできる。この場合は，チャネル指定部３は，フロントエンド１にチャネル指定信号を送りＩＦ帯でチャネル選択が行われる。
【００２９】
本発明の特徴は，上記のように１セグメント信号のレベル検知を１セグメント信号帯域より狭い帯域フィルターを通して検知することにある。すなわち，帯域制限機能部２により受信される１セグメント信号をその帯域以下に制限してレベル検知を行うことにある。
【００３０】
これにより，入力換算雑音が高く，映像が再生できないレベル即ち，より深い受信レベルで高感度に受信信号を検知し，且つ複数の異なる階層区分のいずれにあるかを判定をすることにより高機能に受信レベルを判定することが可能である。
【００３１】
図２は，図１に示した１セグ放送チューナーのフロントエンド１と受信信号レベル判定モジュール１００の具体的構成例ブロック図である。
【００３２】
フロントエンド１において，アンテナＡＮＴにより受信された無線周波数信号は，ローノイズアンプ１ａで増幅され，混合器１ｂに入力される。混合器１ｂには，更に局部周波数発振器１ｃからキャリア周波数信号ｆCRが供給される。
【００３３】
これにより，混合器１ｂから，中間周波数信号fIFが出力され，１セグメント信号帯域のローパスフィルター１０を通して復調器１１に入力される。復調器１１から復調信号が出力され，所定の音声及び映像表示装置により表示される。
【００３４】
一方，受信信号レベル判定モジュール１００により中間周波数帯の信号fIFにより１セグメント信号の受信信号レベルを検知する。このために，フィルター１０を通過した中間周波数信号fIFを帯域制限機能部２のローノイズアンプ２ｄで増幅して混合器２ａに入力する。
【００３５】
混合器２ａには更にチャネル指定部３からのチャネル指定信号に対応する中間周波数帯域信号ｆIFが局部信号発生器２ｂから入力される。したがって，混合器２ａからベースバンドの１セグメント信号が出力される。混合器２ａから出力される１セグメント信号は，その帯域より狭い通過帯域のフィルター２ｃを通して検波器４に送られる。
【００３６】
すなわち，ベースバンドの１セグメント信号は，１セグメント信号の帯域ΔｆCHより狭い通過帯域ΔｆCH／α（ただし，αは，１より大きい数値（実数））のフィルター２ｃを通して，検波器４に入力される。
【００３７】
検波器４は，１セグメント信号帯域より狭い通過帯域のフィルター２ｃを通過させて，１セグメント信号をその帯域以下に制限して検知するので，１セグメント信号のレベルを高感度に検知することができる。検波器４で検波された１セグメント信号は，後に詳細に説明されるレベル階層区分判定機能部５に入力され，そこで，１セグメント信号の受信信号レベルが判定される。
【００３８】
図３は，図１に示した１セグ放送チューナーの機能を用い，１セグ電波チェッカーに適用する場合のフロントエンド１と受信信号レベル判定モジュール１００の他の具体的構成例ブロック図である。なお，１セグ電波チェッカー機能のみを想定する場合は，フロントエンド１の混合器１ｂ以降の構成を省略しても良い。
【００３９】
図３に示す構成例では，帯域制限機能部２は，フロントエンド１のローノイズアンプ１ａで増幅された無線周波信号を混合器２ａに入力する。混合器２ａには，更に図３において図示省略されているチャネル指定部３からのチャネル指定信号に対応する変調周波数信号ｆRFが局部発振器２ｂから供給される。これにより，指定チャネルに対応するベースバンドの１セグメント信号が出力される。
【００４０】
検波器４は，セグメント信号帯域より狭い通過帯域のフィルター２ｃを通して１セグメント信号を検知するので，１セグメント信号のレベルを高感度で検知することができる。検波器４で検波された１セグメント信号は，後に詳細に説明されるレベル階層区分判定機能部５に入力され，そこで，１セグメント信号の受信信号レベルが判定される。
【００４１】
ここで，図３の帯域制限機能部２の混合器２ａの出力は，変調信号に対して上下側帯波信号が折り返されているが，レベル検知の目的であるので約３ｄＢ上昇していることを考慮してレベル換算すればよいので問題とはならない。
【００４２】
図４は，図２，図３の実施の形態例に共通のレベル階層区分判定機能部５の構成例ブロック図である。
【００４３】
図４において，先ず受信された１セグメント信号は，平均化回路５０で所定時間単位に平均化される。これは，実電波環境では，受信電界レベル変動が大きいので，平均化（アベレージング）して，受信信号レベルを階層区分で評価するためである。
【００４４】
ついで，平均化回路５０の出力は，Ａ／Ｄ変換器４０により，受信された１セグメント信号の所定時間単位における平均的なレベルをデジタル値として出力され，レベル階層区分判定機能部５に入力される。
【００４５】
ここで，レベル階層区分判定機能部５は，以下に説明するように，扱う信号はデジタルであるので，レベル階層区分判定機能部５自体をＩＣ化することが容易である。かかる点から，別の態様として図５に示すように，Ａ／Ｄ変換器４０により先にデジタル化を行い，レベル階層区分判定機能部５内にデジタル平均化回路５０を設けてデジタル平均化を行うように構成することにより，更にＩＣ化に含める要素が多くなり小型化に貢献できる。
【００４６】
以下，図４，図５において共通であり，複数の電界範囲が電界メモリー５１１〜５１ｍに予め設定される。
【００４７】
電界メモリー５１１には電界強度の最大値を，電界メモリー５１ｍには電界強度の最小値を設定する。電界強度の最小値では，受信される１セグメント信号はもはや映像波表示できない受信レベルであることを意味する。
【００４８】
さらに中間値として，例えば感度境界マージン域として，電界メモリー５１n-1に電界範囲ｎ−１を設定する。かかる感度境界マージン域では，映像表示限界以下に受信信号レベルが下がるときがあるが，概ね映像表示が可能な電界レベルの範囲である。
【００４９】
そして，感度境界マージン域として，電界メモリー５１ｎに電界範囲ｎを設定する。かかる感度境界域では，受信信号レベルの大半が映像表示限界以下である電界レベルの範囲を意味する。
【００５０】
相関算出手段５２は，電界メモリー５１１〜５１ｍに設定された電界範囲データを入力し，それぞれに対応する出力電圧を出力する機能を有する。
【００５１】
相関算出手段５２における電界範囲データと出力電圧の相関関係は，図６に示すような検波器４の検出特性に対応して設定される。標準的な１セグメント信号の受信レベル−１０７ｄＢを基準として，例えば，検波器４から得られる検出電圧に基づき次のような対応関係を設定する。
【００５２】
【表１】
2007036922.tif 000003
相関算出手段５２により求められた上記表１の出力電圧は，それぞれの電界範囲に対応するテーブル５３１〜５３ｍに設定される。
【００５３】
比較器５４１〜５４ｍは，それぞれ対応するテーブル５３１〜５３ｍの出力電圧と，Ａ／Ｄ変換器４０（図４）あるいは，デジタルアベレージング回路５０（図５）の出力を入力し， テーブル５３１〜５３ｍの出力電圧より入力電圧が大きいときに，結果判定機能部５５に比較結果を出力する。
【００５４】
たとえば，Ａ／Ｄ変換器４０の出力（図４）あるいは，デジタルアベレージング回路５０（図５）の出力が，テーブル５３ｎの出力電圧より大きく，テーブル５３n-1の出力電圧より小さい範囲にある場合は，比較器５４１〜５４n-1から論理“０”が，比較器５４ｎ〜５４ｍから論理“１”が出力される。
【００５５】
結果判定機能部５５は，比較器５４ｎ〜５４ｍの論理“１”出力に基づき，１セグメント信号の受信レベルは，映像表示は可能であるが，画質劣化が多少認識されるという電界範囲ｎにあると判断し，アプリケーションに応じた出力を表示する。
【００５６】
ここで，結果判定機能部５５の出力を利用するアプリケーションについて実施例を説明する。
【００５７】
図７は，図１に示した１セグ電波チューナーに，学習メモリー６を備え学習機能を具備させて１セグ電波チェッカーとして構成させた機能ブロック図である。先に述べたように１セグ電波チェッカーの機能のみ有するものとする場合は，１セグ電波チューナーの再生復調器１１は，省略できる。
【００５８】
場所及び時間情報設定手段７により，１セグメント信号のレベルを測定する際に測定地点の場所情報あるいは，それと共に時間情報が出力される。学習メモリー６は，レベル階層区分判定機能部５による判定結果と伴に，場所及び時間情報設定手段７より出力される前記場所及び時間情報を，１セグメント信号受信レベルの測定地点及び測定時刻情報として記憶格納する機能を有する。
【００５９】
時間情報設定手段７における場所情報は，１セグ電波チェッカーの移動と同期してナビゲーションシステムにより得られる。あるいは操作者により測定地点の場所データを入力することにより得られる。また，測定時刻情報は，時間情報設定手段７に有する時計機能により生成される。
【００６０】
このように学習メモリー６において，チャネル毎に学習された測定地点，測定時刻情報及び測定された１セグメント信号受信レベルは，後に１セグ放送網における難視聴対策等に用いることができる。
【００６１】
図８は，受信信号レベル判定モジュール１００により判定される１セグメント信号レベルをリアルタイムに利用するアプリケーションの例として１セグメント信号受信装置の構成例ブロック図を示す図である。たとえば，１セグメント信号受信装置が移動体用受信装置として，受信レベルの小さい領域に移動したときに，アダプティブアンテナやダイバーシチ効果を有する別の受信アンテナ,例えば，自動車や，電車との移動体の前後に配置したアンテナに切り替えて，あるいはインターネットやアナログＴＶやラジオ放送等の他の通信手段に切り替えて同一放送プログラムの受信を継続受信可能とする信号を提供するパーソナルなギャップフィラーを実現することができる。
【００６２】
さらに，上記切り替えられる受信アンテナとして，ＰＡＮ（Personal Area Network）にある複数機器，充電ケーブル等をアンテナとして機能させるようにしても良い。
【００６３】
図８において，レベル階層区分判定機能部５の出力は，図７で説明したように学習メモリー６に学習される。同時に表示装置８に受信信号レベルが表示され，使用者に目視可能にする。すなわち，使用者に目視可能にするために，階層区分された受信レベルを表示したり，チャネルをスイープして受信可能のチャネルを表示したり，あるいは，学習メモリー６に記録された内容を表示することが可能である。
【００６４】
これにより使用者は，受信映像の品質と受信信号レベルの関係を認識し，映像鑑賞の継続を断念するか，他の手段により画像受信を行うかの判断決定を行うことが可能である。
【００６５】
また，自動的に他の通信手段に切り替えて画像受信を継続可能とするための構成として，図８において，制御信号判定回路６０を設けている。先に，図４，図５において説明した様に比較器５４n-1と比較器５４ｎは，感度境界マージン域と，感度境界域の判定を行うものであり，制御信号判定回路６０は，このいずれに１セグメント信号の受信レベルがあるかにより，受信映像が正常に表示可能か，画像表示品質が劣化するかの判断をする。
【００６６】
したがって，これら比較器５４n-1と比較器５４ｎの出力が制御信号判定回路６０に入力される。また，図１に説明した１セグ放送チューナーにおいて，環境劣化等の事情により，受信画像がＯＦＦ状態となる場合，その受信画像ＯＦＦを示す信号を制御信号判定回路６０に入力する。
【００６７】
制御信号判定回路６０は，これら比較器５４n-1，５４ｎ及び１セグチューナー９の出力信号を制御信号として入力し，受信レベルの低下により，表示画像品質の劣化を判断する。そして，他の通信手段６１，例えばインターネット，アナログＴＶあるいはラジオ放送のいずれかの通信手段による受信手段に受信を指示する。
【００６８】
そして，これら他の通信手段６１により得られる受信信号を有線あるいは，近距離無線により別の１セグ放送受信装置に接続することにより，いわばパーソナルなギャップフィラーとして機能させることが可能である。
【産業上の利用可能性】
【００６９】
上記実施の形態例を説明したように本発明により，簡易な構成で受信電界レベルの測定を可能とする１セグ電波チェックモジュール及びこれを用いる通信装置を提供可能である。したがって，産業上寄与するところ大である。
【図面の簡単な説明】
【００７０】
【図１】本発明に従う１セグ放送チューナーの機能ブロック図である。
【図２】図１に示した１セグ放送チューナーのフロントエンドと受信信号レベル判定モジュールの具体的構成例ブロック図である。
【図３】図１に示した１セグ放送チューナーの機能を用い，１セグ電波チェッカーに適用する場合のフロントエンドと受信信号レベル判定モジュールの他の具体的構成例ブロック図である。
【図４】図２，図３の実施の形態例に共通のレベル階層区分判定機能部の構成例ブロック図である。
【図５】図４に対する別の態様としてのレベル階層区分判定機能部の構成例ブロック図である。
【図６】検波器の検出特性例を示す図である。
【図７】図１に示した１セグ電波チェックモジュールに対し，学習メモリーを備え学習機能を具備させて１セグ電波チェッカーとして構成させた機能ブロック図である。
【図８】受信信号レベル判定モジュールにより判定される１セグメント信号レベルをリアルタイムに利用するアプリケーションの例として１セグメント信号受信装置の構成例ブロック図を示す図である。
【符号の説明】
【００７１】
１  １セグチューナーフロントエンド
２  帯域制限機能部
３  チャンネル指定部
４  検波器
５  レベル階層区分判定機能部
１００  受信信号レベル判定モジュール
【図１】
2007036922.tif 000004
【図２】
2007036922.tif 000005
【図３】
2007036922.tif 000006
【図４】
2007036922.tif 000007
【図５】
2007036922.tif 000008
【図６】
2007036922.tif 000009
【図７】
2007036922.tif 000010
【図８】
2007036922.tif 000011